(57)【要約】【課題】サービスの選択や本人確認などを直感的で容易にすることにある。【解決手段】トランシーバ１の受信手段がＢＰＳＫ復調部１３とＯＯＫ復調部１２とを備えることにより、ＢＰＳＫ復調部１３により復調されるデータに加えて、トランシーバ３を保持する利用者１００が電極１０を断続的に接触したときに、オンオフキーイングによりその触り方に基づいたデータを取得できる。これにより、利用者１００は、電極１０に接触してデータ通信を行うだけでなく、電極１０の触り方を変更することでサービスの選択が可能となり、利用者１００は、電極１０に触る動作だけで様々なサービスを受けることができる。【選択図】図１
2010130228.tif 000002
【特許請求の範囲】
【請求項１】
第１、第２のトランシーバの間で電界伝達媒体に誘起された電界により通信を行う通信システムであって、
前記第１のトランシーバは、
搬送波を発振する発振手段と、
送信すべきデータにより前記搬送波を変調し、変調した前記搬送波に基づいて前記電界伝達媒体に電界を誘起させる送信手段と、
前記第２のトランシーバが前記電界伝達媒体に誘起した電界を検出し、当該電界に含まれるデータを復調する受信手段と、を有し、
前記第２のトランシーバは、
電界通信用の電極と、
前記電極を介して前記第１のトランシーバが誘起した前記電界を検出して電気信号に変換する受信手段と、
前記電気信号を復調する第１の復調手段と、
前記電気信号をオンオフキーイングにより復調する第２の復調手段と、
送信すべきデータを変調して前記電界伝達媒体に電界を誘起させる送信手段と、を有すること
を特徴とする通信システム。
【請求項２】
前記第２のトランシーバは、前記第２の復調手段が復調したデータに基づいて提供するサービスの判定あるいは個人認証を行う判定手段を有することを特徴とする請求項１記載の通信システム。
【請求項３】
前記第１のトランシーバの送信手段は、前記第２のトランシーバからの応答を受信するまでは、前記搬送波を変調しないで送信することを特徴とする請求項１又は２記載の通信システム。
【請求項４】
送信すべきデータにより変調した搬送波に基づいて電界伝達媒体に誘起された電界により通信を行う通信装置であって、
電界通信用の電極と、
前記電極を介して前記電界を検出して電気信号に変換する受信手段と、
前記電気信号を復調する第１の復調手段と、
前記電気信号をオンオフキーイングにより復調する第２の復調手段と、
を有することを特徴とする通信装置。
【請求項５】
前記第２の復調手段が復調したデータに基づいて提供するサービスの判定あるいは個人認証を行う判定手段を有することを特徴とする請求項４記載の通信装置。
【請求項６】
送信すべきデータにより変調した搬送波に基づいて電界伝達媒体に誘起された電界により通信を行う通信方法であって、
電界通信用の電極を介して前記電界を検出して電気信号に変換するステップと、
前記電気信号を復調するステップと、
前記電気信号をオンオフキーイングにより復調するステップと、
を有することを特徴とする通信方法。
【請求項７】
オンオフキーイングにより復調したデータに基づいて提供するサービスの判定あるいは個人認証を行うステップをさらに有することを特徴とする請求項６記載の通信方法。
【発明の詳細な説明】
【技術分野】
【０００１】
本発明は、送信すべき情報に基づく電界を電界伝達媒体に誘起させるとともに、この誘起した電界を検出して情報の送受信を行う技術に関する。
【背景技術】
【０００２】
人体などの電界伝達媒体に電界を誘起し、この誘起された電界を用いてデータ通信を行う電界通信を利用したトランシーバ（以下、単にトランシーバという）が提案されている。例えば、トランシーバ間でＩＤを送受信してドアの解錠を行う場合は、トランシーバを保持する利用者がドアに配置されたトランシーバの電極に接触するだけでＩＤが送信されてドアが解錠される。このように提供されるサービスが１種類で送信するデータが決められているときは、利用者は電極に接触するだけでサービスが受けられるので非常に便利である。
【０００３】
他方、例えば、電子マネーのやりとりに電界通信を利用したトランシーバを用いる場合は、支払い、残高照会、あるいは、履歴表示など受けるサービスが多岐に渡るので、データの送受信の前に、利用者はまず受けるサービスを選択する必要がある。受けるサービスを選択するためには、サービスを選択するためのボタンを押すなど、電極を触る以外の他の操作が必要である。特許文献１では、利用者が保持するトランシーバを操作し、送信する電界の強度を変動させてサービスの種類を指定する技術が開示されている。
【特許文献１】特開２００６−３０４３７３号公報
【発明の開示】
【発明が解決しようとする課題】
【０００４】
上記のように、サービスを選択するためには電極に接触する動作とは別の操作が必要である。特許文献１に記載の技術を用いた場合においても、受信側トランシーバの電極に接触したまま送信側トランシーバを操作するため、電極に接触する動作とは別の操作が必要である。
【０００５】
本発明は、上記に鑑みてなされたものであり、その課題とするところは、電界通信を利用した通信システムにおいて、サービスの選択や本人確認などを直感的で容易にすることにある。
【課題を解決するための手段】
【０００６】
第１の本発明に係る通信システムは、第１、第２のトランシーバの間で電界伝達媒体に誘起された電界により通信を行う通信システムであって、第１のトランシーバは、搬送波を発振する発振手段と、送信すべきデータにより搬送波を変調し、変調した搬送波に基づいて電界伝達媒体に電界を誘起させる送信手段と、第２のトランシーバが電界伝達媒体に誘起した電界を検出し、当該電界に含まれるデータを復調する受信手段と、を有し、第２のトランシーバは、電界通信用の電極と、電極を介して第１のトランシーバが誘起した電界を検出して電気信号に変換する受信手段と、電気信号を復調する第１の復調手段と、電気信号をオンオフキーイングにより復調する第２の復調手段と、送信すべきデータを変調して電界伝達媒体に電界を誘起させる送信手段と、を有することを特徴とする。
【０００７】
上記通信システムにおいて、第２のトランシーバは、第２の復調手段が復調したデータに基づいて提供するサービスの判定あるいは個人認証を行う判定手段を有することを特徴とする。
【０００８】
上記通信システムにおいて、第１のトランシーバの送信手段は、第２のトランシーバからの応答を受信するまでは、搬送波を変調しないで送信することを特徴とする。
【０００９】
第２の本発明に係る通信装置は、送信すべきデータにより変調した搬送波に基づいて電界伝達媒体に誘起された電界により通信を行う通信装置であって、電界通信用の電極と、電極を介して電界を検出して電気信号に変換する受信手段と、電気信号を復調する第１の復調手段と、電気信号をオンオフキーイングにより復調する第２の復調手段と、を有することを特徴とする。
【００１０】
上記通信装置において、第２の復調手段が復調したデータに基づいて提供するサービスの判定あるいは個人認証を行う判定手段を有することを特徴とする。
【００１１】
第３の本発明に係る通信方法は、送信すべきデータにより変調した搬送波に基づいて電界伝達媒体に誘起された電界により通信を行う通信方法であって、電界通信用の電極を介して電界を検出して電気信号に変換するステップと、電気信号を復調するステップと、電気信号をオンオフキーイングにより復調するステップと、を有することを特徴とする。
【００１２】
上記通信方法において、オンオフキーイングにより復調したデータに基づいて提供するサービスの判定あるいは個人認証を行うステップをさらに有することを特徴とする。
【発明の効果】
【００１３】
本発明によれば、電界伝達媒体に誘起された電界により通信を行う通信システムにおいて、第２のトランシーバが、電界伝達媒体に誘起された電界を電気信号に変換する受信手段と、電気信号を復調する第１の復調手段と、電気信号をオンオフキーイングにより復調する第２の復調手段とを備えることにより、第１の復調手段により復調されるデータに加えて、電界伝達媒体が電極に断続的に接触したときの触り方に基づいたデータを取得できる。これにより、電界伝達媒体が利用者の指だとすると、利用者は電極の触り方、つまり利用者が電極に断続的に接触することによってサービスの選択をした後、その電極を触っているだけでデータの送受信が行われるので、利用者は電極を触るだけでサービスを選択し、サービスを受けることが可能となる。また、サービスの選択だけでなく、電極の触り方により本人確認をすることも可能である。
【００１４】
このように、本発明によれば、電界通信を利用した通信システムにおいて、サービスの選択や本人確認などを直感的で容易にすることができる。
【発明を実施するための最良の形態】
【００１５】
以下、本発明の実施の形態について図面を用いて説明する。図１は、本実施の形態における通信システムのうち第１のトランシーバの送信手段および第２のトランシーバの受信手段を表したものである。同図に示すように、トランシーバ１にはサービスを提供するコンピュータ２が接続される。トランシーバ３は利用者１００により保持される。トランシーバ１，３は、それぞれ電界通信による送信手段、受信手段を有する。トランシーバ３からトランシーバ１にデータを送信する場合には、トランシーバ３の送信手段が電界伝達媒体である利用者１００に電界を誘起するとともに、利用者１００に誘起された電界をトランシーバ１の受信手段が検出することにより行う。反対に、トランシーバ１からトランシーバ３にデータを送信する場合には、トランシーバ１の送信手段（図示せず）が利用者１００に電界を誘起し、トランシーバ３の受信手段（図示せず）がその電界を検出することにより行う。
【００１６】
図１に示すように、トランシーバ１は受信手段として、電極１０、受信部１１、ＯＯＫ復調部１２、およびＢＰＳＫ復調部１３を備える。
【００１７】
受信部１１は、電界検出部１１１、信号処理回路１１２、および波形整形回路１１３を備える。トランシーバ３の送信手段が利用者１００に誘起した電界は、電極１０により受信されて電界検出部１１１に供給される。電界検出部１１１は、電極１０で受信した電界を検出し、電気信号に変換する。信号処理回路１１２は、この電気信号に増幅、雑音除去などの信号処理を施す。波形整形回路１１３は、電気信号を波形整形し、ＯＯＫ復調部１２、ＢＰＳＫ復調部１３に供給する。
【００１８】
ＯＯＫ復調部１２は、トランシーバ３の送信手段が誘起した電界の検出の有無に基づくＯＯＫ（On-Off Keying）復調を行う。電界の検出の有無は、利用者１００が電極１０を断続的に触ることにより生じる。つまり、利用者１００が「ツー・トン・ツー」などのように調子をつけて電極１０をさわることにより、これに合わせて断続した電界が受信部１１により検出され、電気信号に変換される。ＯＯＫ復調部１２は、この断続する電気信号をオンオフキーイングにより復調する。
【００１９】
ＢＰＳＫ復調部１３は、トランシーバ３の送信手段が送信すべき情報により変調した搬送波を検出し、ＢＰＳＫ（Binary Phase Shift Keying）復調を行う。利用者１００が電極１０に接触することで、トランシーバ３の送信手段が変調して送信した搬送波が受信部１１により受信され、ＢＰＳＫ復調部１３により復調される。
【００２０】
サービスを提供する上位機器としてトランシーバ１に接続されたコンピュータ２は、判定部２１とデータ処理部２２とを備える。
【００２１】
判定部２１は、ＯＯＫ復調部１２により復調されたデータに基づいて提供するサービスを判定する。判定部２１は、利用者１００による電極１０の触り方のパターンデータとサービス内容とを対応付けて記憶させた記憶装置を備える。例えば、「ツー・トン・ツー」という触り方のパターンデータに対して「残高照会」を対応付けて記憶させる。これにより、利用者１００が「ツー・トン・ツー」と電極１０に触れることで、この触り方に基づいたパターンデータがＯＯＫ復調部１２で復調され、そのパターンデータに対応した「残高照会」のサービスを受けることができる。
【００２２】
データ処理部２２は、判定部２１が判定したサービスに対応したデータを入力して各種処理を行う。データ処理部２２に入力されるデータは、ＢＰＳＫ復調部１３により復調されたデータであり、ＢＰＳＫ復調部１３が復調する電気信号は、トランシーバ３の送信手段が送信すべき情報に基づいて変調した搬送波であって、利用者１００、電極１０を介して電界通信により伝達されたものである。サービスに対応したデータとはサービスを提供するために必要なデータである。例えば、サービスが「残高照会」の場合は「口座番号」などである。
【００２３】
図２に、トランシーバ３の送信手段とトランシーバ１の受信手段の等価回路を示す。同図に示すように、トランシーバ３の送信手段とトランシーバ１の受信手段との間の利用者１００は、容量、抵抗、スイッチで表すことができる。利用者１００と電極１０によりスイッチ１０１が構成される。利用者１００が電極１０に接触している場合はスイッチ１０１がオンであり、利用者１００が電極１０から離れている場合はスイッチ１０１はオフである。よって、利用者１００が電極１０をトントンとたたくことにより、スイッチ１０１のオン・オフが制御されることとなる。スイッチ１０１がオンのときにトランシーバ１，３間には伝送経路が確立され、トランシーバ３の送信手段が利用者１００に誘起した電界がトランシーバ１の受信手段で受信される。
【００２４】
トランシーバ３の送信手段は、所定の周波数の搬送波を発振するキャリア発振部３１と、送信すべき情報に基づいて切り替えられる変調スイッチ３２とを備える。利用者１００が電極１０の触り方によってサービスを選択するときは、変調スイッチ３２を１側にして無変調の連続搬送波を送出する。一方、トランシーバ３がデータを送信するときは、変調スイッチ３２を送信するデータに応じて１側、０側に切り替えてＢＰＳＫ変調を行う。そして、トランシーバ３は、搬送波を利用者１００に電界を誘起させることでトランシーバ１へ送信する。
【００２５】
次に、本通信システムの動作について図面を用いて説明する。図３は、本通信システムがサービスを選択する動作の流れを示すシーケンス図である。
【００２６】
まず、トランシーバ３の送信手段が変調スイッチ３２を１側にして無変調の連続搬送波を送出し、利用者１００に電界を誘起させる（ステップＳ１０１）。利用者１００は、所望のサービスに対応する触り方で電極１０を断続的に触る（ステップＳ１０２）。利用者１００が断続的に電極１０を触ることで、トランシーバ１，３間に断続的に伝送経路が確立され、トランシーバ１の受信手段はトランシーバ３の送信手段が利用者１００に誘起した電界を断続して受信する。
【００２７】
続いて、断続した電界を受信したトランシーバ１の受信手段は、断続して受信した電界の検出の有無に基づいてＯＯＫ復調を行い、復調されたデータをコンピュータ２へ伝送する（ステップＳ１０３）。コンピュータ２は、復調されたデータと予め記憶装置などに登録した触り方のパターンデータとを照合して一致するパターンデータを検索し、利用者１００の所望するサービスを特定する（ステップＳ１０４）。特定したサービスは、コンピュータ２に設けられたランプや表示装置などにより利用者１００に伝えられる。この後は、特定されたサービスに対応するデータをトランシーバ１，３間で送受信するため、利用者１００に対して電極１０を触り続けるように促すメッセージを表示してもよい。
【００２８】
サービスを特定したコンピュータ２は、トランシーバ１の送信手段により応答をトランシーバ３の受信手段に送信する（ステップＳ１０５）。トランシーバ１の送信手段から送信される応答は、電界通信により利用者１００を介してトランシーバ３の受信手段に伝送される。このとき、利用者１００は電極１０を触っているものとする。
【００２９】
そして、応答を受信したトランシーバ３は、所定の変調方式により、送信すべきデータに基づいて搬送波を変調し、利用者１００に電界を誘起することでデータを送信する（ステップＳ１０６）。本実施の形態では変復調方式としてＢＰＳＫを用いた。なお、利用者１００が選択したサービスに関する情報は、トランシーバ１の応答に含まれており、トランシーバ３はサービスに対応した送信すべきデータを特定することができる。
【００３０】
利用者１００が電極１０を触り続けることで、利用者１００を伝送経路とする通信が行われ（ステップＳ１０７）、トランシーバ１の受信手段は、利用者１００を介して受信した電界を電気信号に変換してＢＰＳＫ復調する（ステップＳ１０８）。復調して得られたデータは、コンピュータ２により受信されて処理され、サービスが提供される（ステップＳ１０９）。
【００３１】
なお、判定部２１はサービスの選択以外にも、個人毎の触り方のパターンデータを認証データとして登録しておくことにより、利用者１００の触り方に基づく本人認証が可能となる。
【００３２】
したがって、本実施の形態によれば、トランシーバ１の受信手段がＢＰＳＫ復調部１３とＯＯＫ復調部１２とを備えることにより、ＢＰＳＫ復調部１３により復調されるデータに加えて、トランシーバ３を保持する利用者１００が電極１０を断続的に接触したときに、オンオフキーイングによりその触り方に基づいたデータを取得できるので、利用者１００は、電極１０に接触してデータ通信を行うだけでなく、電極１０の触り方を変更することでサービスの選択が可能となり、利用者１００は、電極１０に触る動作だけで様々なサービスを受けることができる。
【図面の簡単な説明】
【００３３】
【図１】一実施の形態における通信システムの構成を示す全体構成図である。
【図２】上記通信システムの等価回路図である。
【図３】上記通信システムの動作の流れを示すシーケンス図である。
【符号の説明】
【００３４】
１，３…トランシーバ
２…コンピュータ
１０…電極
１１…受信部
１１１…電界検出部
１１２…信号処理回路
１１３…波形整形回路
１２…ＯＯＫ復調部
１３…ＢＰＳＫ復調部
２１…判定部
２２…データ処理部
３１…キャリア発振部
３２…変調スイッチ
１００…利用者
１０１…スイッチ
【図１】
2010130228.tif 000003
【図２】
2010130228.tif 000004
【図３】
2010130228.tif 000005